(57)【要約】【課題】筐体を小型化できる携帯端末を提供する。【解決手段】携帯端末１０は、ケース１２およびカバー１３を有する筐体１１と、ケースの壁部に設けられた第１貫通孔３４に収容される第１ボタン１５と、ケースおよびカバーの境界線１４に跨る第２貫通孔４７および第３貫通孔４８にそれぞれ収容される第２ボタン１６および第３ボタン１７と、第１ボタン、第２ボタンおよび第３ボタンを筐体の内部において連結する帯部材２１とを備えている。そして、第１ボタンおよび第２ボタン間において帯部材の厚み方向に沿った屈曲線５６を中心として、第１ボタン側に対して第２ボタンおよび第３ボタン側が境界線側に屈曲可能とした。【選択図】図４
2013098650.tif 000002
【特許請求の範囲】
【請求項１】
ケースおよびカバーを有する筐体と、
前記筐体の側面となる前記ケースの壁部に設けられた第１貫通孔に収容される第１ボタンと、
前記筐体の前記側面における前記ケースおよび前記カバーの境界線に跨る第２貫通孔に収容される第２ボタンと、
前記第１ボタンおよび前記第２ボタンを前記筐体の内部において連結するとともに、前記側面に対して面方向が平行に配置される帯部材と、を備え、
前記第１ボタンおよび前記第２ボタン間において前記帯部材が当該帯部材の厚み方向に沿った線を中心として、前記第１ボタン側に対して前記第２ボタン側が前記境界線側に屈曲可能である携帯端末。
【請求項２】
請求項１に記載の携帯端末において、
前記帯部材が、前記第１ボタンおよび前記第２ボタンの間に設けられた突出部および切欠部を有し、
前記突出部が前記溝部から離れる方向に突出しているとともに、前記切欠部が前記溝部側に設けられている携帯端末。
【請求項３】
請求項１または請求項２に記載の携帯端末において、
前記帯部材は、
前記溝部における互いに向かい合う一対の内面のうちの一方に向かって設けられた突起部を有する携帯端末。
【請求項４】
筐体と、
前記筐体の側面に対して前記筐体の厚み方向に対して直交する方向に沿って取り付けられる第１ボタンと、
前記筐体の前記側面に対して前記筐体の厚み方向に沿って取り付けられる第２ボタンと、
前記第１ボタンおよび前記第２ボタンを前記筐体の内部において連結するとともに、前記側面に対して面方向が平行に配置される帯部材と、を備え、
前記第１ボタンおよび前記第２ボタンの間において前記帯部材が当該帯部材の厚み方向に沿った線を中心として屈曲可能である携帯端末。
【請求項５】
ケースおよびカバーを有する筐体と、
前記筐体の側面となる前記ケースの壁部に設けられた第１貫通孔に対して前記ケースの前記壁部の裏側から挿入される第１ボタンと、
前記ケースの前記壁部に設けられた溝部に対して前記筐体の厚み方向に沿って挿入される第２ボタンと、
前記第１ボタンおよび前記第２ボタンを前記筐体の内部において連結するとともに、前記側面に対して面方向が平行に配置される帯部材と、を備え、
前記第１ボタンおよび前記第２ボタンの間において前記帯部材が当該帯部材の厚み方向に沿った線を中心として、前記第１ボタン側に対して前記第２ボタン側が前記溝部から離れる方向に屈曲可能である携帯端末。
【発明の詳細な説明】
【技術分野】
【０００１】
本発明は、筐体の側面に複数の貫通孔が形成され、各々の貫通孔に操作ボタンが筐体の厚み方向に対して直交する方向を向いて収容された携帯端末に関する。
【背景技術】
【０００２】
例えば、携帯端末の外枠を構成する筐体のなかには、筐体の側面に複数のサイドキー（以下、第１ボタン、第２ボタンという）が設けられたものがある。
これらの第１ボタン、第２ボタンは、帯部材を介して筐体の側面に取り付けられている（例えば、特許文献１）。
【先行技術文献】
【特許文献】
【０００３】
【特許文献１】特開２００７−１８０６８２号公報（第２図）
【発明の概要】
【発明が解決しようとする課題】
【０００４】
ところで、図１３（Ａ）に示すように、筐体１００のなかには、側面に第１ボタン１０２、第２ボタン１０３を組み付ける際に、第１ボタン１０２、第２ボタン１０３の組付方向が異なるものがある。
【０００５】
例えば、第１ボタン１０２は、筐体１００の側面に対して筐体１００の厚み方向に対して直交する方向（矢印方向）に沿って取り付けられる。
一方、第２ボタン１０３は、筐体１００の側面に対して筐体１００の厚み方向（矢印方向）に沿って取り付けられる。
第１ボタン１０２、第２ボタン１０３の組付方向が異なる場合、第１ボタン１０２、第２ボタン１０３を組み付ける工程が別工程となり、組付工程が煩雑になり、また誤組付の虞がある。
【０００６】
さらに、図１３（Ｂ）に示すように、第１ボタン１０２、第２ボタン１０３に、専用の帯部材１０２Ａ，１０３Ａが個別に必要となり部品点数が多くなる。
【０００７】
加えて、筐体１００において、第１ボタン１０２、第２ボタン１０３の配置箇所に専用の組付構造が必要となるため、筐体１００を小型、薄型化しにくい。
この筐体１００を携帯端末に用いる場合、携帯性や使い勝手等の観点から筐体１００を小型、薄型化することが好ましい。
【０００８】
本発明は、前述した課題を解決するためになされたものであり、その目的は、筐体を小型化できる携帯端末を提供することにある。
【課題を解決するための手段】
【０００９】
本発明の携帯端末は、ケースおよびカバーを有する筐体と、前記筐体の側面となる前記ケースの壁部に設けられた第１貫通孔に収容される第１ボタンと、前記筐体の前記側面における前記ケースおよび前記カバーの境界線に跨る第２貫通孔に収容される第２ボタンと、前記第１ボタンおよび前記第２ボタンを前記筐体の内部において連結するとともに、前記側面に対して面方向が平行に配置される帯部材と、を備え、前記第１ボタンおよび前記第２ボタン間において前記帯部材が当該帯部材の厚み方向に沿った線を中心として、前記第１ボタン側に対して前記第２ボタン側が前記境界線側に屈曲可能である。
【００１０】
筐体をケースおよびカバーで形成し、筐体の側面となるケースの壁部に第１貫通孔を設け、ケースおよびカバーの境界線に跨るように第２貫通孔を設けた。
さらに、第１ボタンおよび第２ボタンを屈曲可能な帯部材で連結した。
よって、ケースからカバーを外した状態で、第１貫通孔に第１ボタンを収容し、第１ボタンの収容後に帯部材を屈曲させて第２貫通孔のケース側の部位に第２ボタンを収容できる。
これにより、第１ボタンおよび第２ボタンを同じ工程で組み付けることが可能になり、組付工程の簡素が図れる。
【００１１】
また、第１ボタンおよび第２ボタンを帯部材で連結することにより、第１ボタンおよび第２ボタンの誤組付を防止できる。
【００１２】
さらに、第１ボタンおよび第２ボタンを帯部材で連結することにより、従来技術のように、各ボタンに専用の帯部材をそれぞれ設ける必要がないので、部品点数を少なく抑えることができる。
【００１３】
加えて、第１ボタンおよび第２ボタンを帯部材で連結することにより、従来技術のように、各ボタンに専用の帯部材をそれぞれ設ける必要がないので、第１ボタンおよび第２ボタン間の間隔を従来の間隔の半分（すなわち、１／２）に詰めることができる。
このように、第１ボタンおよび第２ボタン間の間隔を詰めることにより筐体を小型化できる。
【００１４】
また、本発明の携帯端末は、前記帯部材が、前記第１ボタンおよび前記第２ボタンの間に設けられた突出部および切欠部を有し、前記突出部が前記溝部から離れる方向に突出しているとともに、前記切欠部が前記溝部側に設けられている。
【００１５】
突出部を溝部から離れる方向に突出させることにより、突出部を溝部から離して設けることができるので突出部を円滑に変形させることができる。
突出部を溝部から離して円滑に変形させることにより、第１ボタンおよび第２ボタンの組付作業を容易にできる。
【００１６】
さらに、本発明の携帯端末は、前記帯部材は、前記溝部における互いに向かい合う一対の内面のうちの一方に向かって設けられた突起部を有する。
【００１７】
帯部材に突起部を設けることにより、帯部材の厚み寸法を溝部の内面間寸法より大きくできる。
これにより、溝部に差し込まれた帯部材を溝部に仮固定できるので、第１ボタンおよび第２ボタンの組付作業を一層容易にできる。
【００１８】
また、本発明の携帯端末は、筐体と、前記筐体の側面に対して前記筐体の厚み方向に対して直交する方向に沿って取り付けられる第１ボタンと、前記筐体の前記側面に対して前記筐体の厚み方向に沿って取り付けられる第２ボタンと、前記第１ボタンおよび前記第２ボタンを前記筐体の内部において連結するとともに、前記側面に対して面方向が平行に配置される帯部材と、を備え、前記第１ボタンおよび前記第２ボタンの間において前記帯部材が当該帯部材の厚み方向に沿った線を中心として屈曲可能である。
【００１９】
第１ボタンおよび第２ボタンを屈曲可能な帯部材で連結し、帯部材を第１ボタンおよび第２ボタンの間において屈曲可能とした。
よって、筐体の側面に第１ボタンを収容し、第１ボタンの収容後に帯部材を屈曲させて筐体の側面に第２ボタンを収容できる。
これにより、第１ボタンおよび第２ボタンを同じ工程で組み付けることが可能になり、組付工程の簡素が図れる。
【００２０】
また、第１ボタンおよび第２ボタンを帯部材で連結することにより、第１ボタンおよび第２ボタンの誤組付を防止できる。
【００２１】
さらに、第１ボタンおよび第２ボタンを帯部材で連結することにより、従来技術のように、各ボタンに専用の帯部材をそれぞれ設ける必要がないので、部品点数を少なく抑えることができる。
【００２２】
加えて、第１ボタンおよび第２ボタンを帯部材で連結することにより、従来技術のように、各ボタンに専用の帯部材をそれぞれ設ける必要がないので、第１ボタンおよび第２ボタン間の間隔を従来の間隔の半分（すなわち、１／２）に詰めることができる。
このように、第１ボタンおよび第２ボタン間の間隔を詰めることにより筐体を小型化できる。
【００２３】
さらに、本発明の携帯端末は、ケースおよびカバーを有する筐体と、前記筐体の側面となる前記ケースの壁部に設けられた第１貫通孔に対して前記ケースの前記壁部の裏側から挿入される第１ボタンと、前記ケースの前記壁部に設けられた溝部に対して前記筐体の厚み方向に沿って挿入される第２ボタンと、前記第１ボタンおよび前記第２ボタンを前記筐体の内部において連結するとともに、前記側面に対して面方向が平行に配置される帯部材と、を備え、前記第１ボタンおよび前記第２ボタンの間において前記帯部材が当該帯部材の厚み方向に沿った線を中心として、前記第１ボタン側に対して前記第２ボタン側が前記溝部から離れる方向に屈曲可能である。
【００２４】
ケースからカバーを外した状態で、第１貫通孔に第１ボタンを収容し、第１ボタンの収容後に帯部材を屈曲させて溝部に第２ボタンを収容できる。
これにより、第１ボタンおよび第２ボタンを同じ工程で組み付けることが可能になり、組付工程の簡素が図れる。
【００２５】
また、第１ボタンおよび第２ボタンを帯部材で連結することにより、第１ボタンおよび第２ボタンの誤組付を防止できる。
【００２６】
さらに、第１ボタンおよび第２ボタンを帯部材で連結することにより、従来技術のように、各ボタンに専用の帯部材をそれぞれ設ける必要がないので、部品点数を少なく抑えることができる。
【００２７】
加えて、第１ボタンおよび第２ボタンを帯部材で連結することにより、従来技術のように、各ボタンに専用の帯部材をそれぞれ設ける必要がないので、第１ボタンおよび第２ボタン間の間隔を従来の間隔の半分（すなわち、１／２）に詰めることができる。
このように、第１ボタンおよび第２ボタン間の間隔を詰めることにより筐体を小型化できる。
【発明の効果】
【００２８】
本発明の携帯端末によれば、第１ボタンおよび第２ボタンを帯部材で連結することにより、各ボタンに専用の帯部材を設ける場合と比べて第１ボタンおよび第２ボタン間の間隔を半分（すなわち、１／２）に詰めることができるので筐体を小型化できる。
【図面の簡単な説明】
【００２９】
【図１】本発明に係る携帯端末を表面側から見た状態を示す斜視図
【図２】図１の携帯端末を裏面側から見た状態を示す斜視図
【図３】図１のＩ部拡大図
【図４】本発明に係るケースからボタンを分解した状態を示す斜視図
【図５】図４の帯部材およびボタンを直線状に配置してケース内側から見た状態を示す斜視図
【図６】図２のＩＩ矢視図
【図７】（Ａ）は本発明に係る帯部材およびボタンを直線状に配置した状態を示す正面図、（Ｂ）は本発明に係る帯部材およびボタンを略Ｌ字状に屈曲した状態を示す正面図
【図８】（Ａ）は図７（Ａ）の帯部材およびボタンを示す裏面図、（Ｂ）は図７（Ｂ）の帯部材およびボタンを示す裏面図
【図９】本発明に係るケースから各ボタンを分解した状態を示す斜視図
【図１０】本発明に係るケースに各ボタンを組み付けた状態を示す斜視図
【図１１】本発明に係るケースに第１ボタンを組み付けた状態を示す斜視図
【図１２】（Ａ）は本発明に係る変形例の携帯端末を示す斜視図、（Ｂ）は（Ａ）のＩＩＩ矢視図
【図１３】（Ａ）は従来の携帯端末を示す分解斜視図、（Ｂ）は従来のボタンを示す斜視図
【発明を実施するための形態】
【００３０】
以下、本発明の実施形態に係る携帯端末について図面を参照して説明する。
【００３１】
図１、図２に示すように、本発明の実施形態である携帯端末１０は、筐体１１と、筐体１１の側面１１Ａに設けられた第１ボタン１５、第２ボタン１６および第３ボタン１７を備えている。
さらに、携帯端末１０は、第１ボタン１５、第２ボタン１６および第３ボタン１７を筐体１１の側面１１Ａに設けた状態において、それぞれ連結可能な帯部材２１（図４参照）を備えている。
【００３２】
筐体１１は、ケース１２およびカバー１３を有し、ケース１２にカバー１３が着脱自在に設けられることにより略矩形体状に形成されている。
筐体１１の側面１１Ａは、ケース１２の壁部１２Ａおよびカバー１３の壁部１３Ａで形成されている。
ケース１２にカバー１３が取り付けられた状態において、ケース１２の壁部１２Ａおよびカバー１３の壁部１３Ａで境界線１４が形成される。
【００３３】
この筐体１１は、ケース１２の表面１２Ｂに設けられた表示部２５と、表示部２５の上方に設けられた受信部２６と、表示部２５の下方に設けられた操作キー２７と、操作キー２７に隣接して設けられた通話用の送信部２８とを備えている。
さらに、筐体１１は、カバー１３の表面１３Ｂのうち上部に設けられたカメラ部２９を備えている。
【００３４】
図３に示すように、ケース１２の表面１２Ｂには、表示部２５の下方において、表示部２５に沿って筐体１１の幅方向（矢印Ａ方向）に向けて形成された凹部３２を有する。
凹部３２は、両端３２Ａから中央領域３２Ｂに向かうに従って凹部深さが増すように形成されている。
【００３５】
凹部３２の中央領域３２Ｂに複数の操作キー２７が設けられている。これにより、ケース１２の表面１２Ｂに対して操作キー２７の頂部２７Ａがほぼ面一に配置でき、キーストロークを確保する等のためのキー凸量を凹部３２の面から設定できキー高さ設定を表面１２Ｂから設定する場合に比べキーを低く構成でき、外観性（すなわち、意匠性）を高めることができる。
さらに、凹部３２の中央領域３２Ｂに複数の操作キー２７を設けることにより、複数の操作キー２７の周囲に凹みを形成できる。
これにより、複数の操作キー２７を良好に操作でき、キー操作性を高めることができる。
【００３６】
加えて、複数の操作キー２７の左端部２７Ｂに送信部２８のマイク音孔２８Ａが形成されている。
凹部３２にマイク音孔２８Ａを形成することにより、マイク音孔２８Ａの周囲を凹部３２で凹ませることができる。よって、マイク音孔２８Ａを指や頬で塞がないようにできる。
これにより、マイク音孔２８Ａを指や頬で塞ぐことにより、送信部２８で発生した音の音切れが発生することを防止できる。
【００３７】
このように、操作キー２７の周囲に凹みを形成するための凹部３２を、マイク音孔２８Ａを指や頬で塞ぐことを防止する凹部として兼用できる。
これにより、マイク音孔２８Ａを指や頬で塞ぐことを防止するための凹部を専用に形成する必要がないので、携帯端末１０の外観を簡素にして意匠性を一層高めることができる。
【００３８】
さらに、図４に示すように、ケース１２は、壁部１２Ａに設けられた第１貫通部３３、第１ケース凹部３５、第２ケース凹部３６、第１ケース溝部（溝部）３７、第２ケース溝部（溝部）３８および第３ケース溝部（溝部）３９とを有する。
【００３９】
第１貫通部３３は、筐体１１の厚み方向（矢印Ｂ方向）に対して直交する方向（矢印Ｃ方向）に沿って形成された第１貫通孔３４を有する。
第１貫通孔３４に、第１ボタン１５がケース１２の内部から外部に向けて、筐体１１の厚み方向に対して直交する方向に沿って収容されている。
第１ボタン１５は、例えば、カメラ部２９（図２参照）のシャッターキーとして用いられる。
【００４０】
この第１貫通孔３４は、筐体１１の長手方向（矢印Ｄ方向）に沿って伸びるように長孔状に形成されている。
図５に示すように、第１貫通孔３４の両側部近傍、すなわち第１貫通部３３の両側部３３Ａ近傍からケース１２の内側に向けて一対の固定ピン４２が突出されている。
【００４１】
第１ケース凹部３５は、第１貫通孔３４の長手方向（矢印Ｄ方向）に沿った箇所に隣接して設けられている。また、第１ケース凹部３５は、境界線１４（図２、図４参照）に隣接して形成されている。
この第１ケース凹部３５に第２ボタン１６の一部１６Ａ（図６参照）が収容されている。第２ボタン１６は、例えば、音量を調整するボリュームキーとして用いられる。
【００４２】
第２ケース凹部３６は、第１ケース凹部３５の長手方向に沿った箇所に隣接して設けられている。また、第２ケース凹部３６は、境界線１４（図２、図４参照）に隣接して形成されている。
この第２ケース凹部３６に第３ボタン１７の一部１７Ａ（図６参照）が収容されている。第３ボタン１７は、例えば、電源の「入」、「切」を切り替えるパワーキーとして用いられる。
【００４３】
第１ケース溝部３７は、第１貫通孔３４および第１ケース凹部３５間に配置され、かつ、第１ケース凹部３５よりケース１２内側に設けられている。
この第１ケース溝部３７は、互いに向かい合う一対の第１内面３７Ａで形成されている。
【００４４】
第２ケース溝部３８は、第１ケース凹部３５および第２ケース凹部３６間に配置され、かつ、第１ケース凹部３５および第２ケース凹部３６よりケース１２内側に設けられている。
この第２ケース溝部３８は、互いに向かい合う一対の第２内面３８Ａで形成されている。
【００４５】
第３ケース溝部３９は、第２ケース凹部３６の長手方向に隣接して配置され、かつ、第３ケースの凹部３２よりケース１２内側に設けられている。
この第３ケース溝部３９は、互いに向かい合う一対の第３内面３９Ａで形成されている。
【００４６】
図６に示すように、カバー１３は、ケース１２の壁部１２Ａに突き合わされた壁部１３Ａを有する。
カバー１３の壁部１３Ａは、第１貫通部３３を収容する収容凹部４３と、第１ケース凹部３５に対向して設けられた第１カバー凹部４５と、第２ケース凹部３６に対向して設けられた第２カバー凹部４６とを有する。
【００４７】
第１カバー凹部４５および第１ケース凹部３５で第２貫通孔４７が形成される。
すなわち、第２貫通孔４７は、筐体１１の側面１１Ａにおけるケース１２およびカバー１３の境界線１４に跨るように形成されている。
詳しくは、第２貫通孔４７は、境界線１４に対してカバー１３側に寄せて形成されている。
【００４８】
この第２貫通孔４７に、第２ボタン１６がケース１２の内側から外側に向けて、図５に示すように、筐体１１の厚み方向（矢印Ｂ方向）に対して直交する方向（矢印Ｃ方向）に沿って収容されている。
【００４９】
図６に示すように、第２カバー凹部４６および第２ケース凹部３６で第３貫通孔４８が形成される。
すなわち、第３貫通孔４８は、筐体１１の側面１１Ａにおけるケース１２およびカバー１３の境界線１４に跨るように形成されている。
詳しくは、第３貫通孔４８は、境界線１４に対してカバー１３側に寄せて形成されている。
【００５０】
この第３貫通孔４８に、第３ボタン１７がケース１２の内側から外側に向けて、図５に示すように、筐体１１の厚み方向（矢印Ｂ方向）に対して直交する方向（矢印Ｃ方向）に沿って収容されている。
【００５１】
図７、図８に示すように、第１ボタン１５、第２ボタン１６および第３ボタン１７は帯部材２１で連結されている。
帯部材２１は、第１ボタン１５、第２ボタン１６および第３ボタン１７を筐体１１（図５参照）の内部において連結するとともに、筐体１１の側面１１Ａに対して面方向が平行に配置されている。
この帯部材２１は、一例として、弾性変形可能なゴム材で形成されている。
【００５２】
さらに、帯部材２１は幅寸法がＷに形成されている。幅寸法Ｗは、第１ボタン１５の幅寸法より小さく、第２ボタン１６および第３ボタン１７の各幅寸法と略同一に設定されている。
よって、第１ボタン１５、第２ボタン１６および第３ボタン１７が帯部材２１に連結された状態において、帯部材２１が各ボタン１５，１６，１７の幅方向に張り出さない。
これにより、第１ボタン１５、第２ボタン１６および第３ボタン１７を、幅方向の小さな筐体１１の側面１１Ａ（図６参照）に設けることができる。
【００５３】
各ボタン１５，１６，１７は、互いに連結されていても押子形状が構成されていれば所望の機能が得られる。従って、帯部材２１は、その幅寸法を各ボタン１５，１６，１７の幅寸法より小さくすることが可能となる。
【００５４】
以下、帯部材２１を図７、図８に基づいて詳しく説明する。
すなわち、帯部材２１は、第１ボタン取付部２１Ａ、第２ボタン取付部２１Ｂおよび第３ボタン取付部２１Ｃを有する。
第１ボタン取付部２１Ａに第１ボタン１５の後部１５Ａが取り付けられている。第２ボタン取付部２１Ｂに第２ボタン１６の後部１６Ｂが取り付けられている。
さらに、第３ボタン取付部２１Ｃに第３ボタン１７の後部１７Ｂが取り付けられている。
【００５５】
さらに、帯部材２１は、第１ボタン取付部２１Ａの両側に設けられた一対の係合孔５１を有する。
一対の係合孔５１が一対の固定ピン４２（図５参照）に係合されることにより、第１ボタン１５が第１ボタン取付部２１Ａを介して第１貫通孔３４に収容された状態に保持される。
【００５６】
加えて、帯部材２１は、第１ボタン取付部２１Ａおよび第２ボタン取付部２１Ｂの間において、第１ボタン取付部２１Ａに設けられた屈曲部（突出部）５３と、第２ボタン取付部２１Ｂに設けられた第１係合部（切欠部）５４を有する。
【００５７】
屈曲部５３は、第１ケース溝部３７（図５参照）から離れる方向に突出されている。
屈曲部５３は、幅寸法が帯部材２１の幅寸法Ｗに対して十分に小さく形成されている。
加えて、屈曲部５３は第１ケース溝部３７から離して設けられている。
これにより、屈曲部５３を幅方向に円滑に変形させることができる。
このように、屈曲部５３を円滑に変形させることにより、第１ボタン１５、第２ボタン１６および第３ボタン１７の組付作業を容易にできる。
【００５８】
第１係合部５４は、第１ケース溝部３７側に設けられている。
この第１係合部５４には、第１リブ（突起部）５４Ａが、一対の第２内面３７Ａのうちの一方に向かって隆起するように設けられている。
第１係合部５４に第１リブ５４Ａを設けることにより、第１係合部５４の厚み寸法を第１ケース溝部３７の内面間寸法より大きくできる。
よって、第１係合部５４が第１ケース溝部３７に差し込まれることにより、第１ケース溝部３７に第１係合部５４が仮固定される。
【００５９】
ここで、図９に示すように、屈曲部５３は、帯部材２１の厚み方向に沿った屈曲線５６を中心として矢印Ｅ方向に折曲可能に形成されている。
よって、第１ボタン１５および第２ボタン１６間において屈曲線５６を中心として、帯部材２１の第１ボタン取付部２１Ａに対して、第２ボタン取付部２１Ｂおよび第３ボタン取付部２１Ｃを境界線１４側に屈曲させることができる。
【００６０】
換言すれば、帯部材２１は、屈曲部５３を変形させることにより、第１ボタン１５側に対して、第２ボタン１６および第３ボタン１７側を第１ケース溝部３７から離れる方向や、第１ケース溝部３７に近付く方向（矢印Ｆ方向）に屈曲させることができる。
【００６１】
さらに、帯部材２１は、第２ボタン取付部２１Ｂおよび第３ボタン取付部２１Ｃの間に設けられた第２係合部（切欠部）５７と、第３ボタン取付部２１Ｃの長手方向の近傍に設けられた第３係合部（切欠部）５８とを有する。
【００６２】
図１０に示すように、第２係合部５７は、第２リブ（突起部）５７Ａを設けることにより、第２係合部５７の厚み寸法を第２ケース溝部３８の内面間寸法より大きくできる。
よって、第２係合部５７が第２ケース溝部３８に差し込まれることにより、第２ケース溝部３８に第２係合部５７が仮固定される。
【００６３】
第３係合部５８は、第３リブ（突起部）５８Ａを設けることにより、第３係合部５８の厚み寸法を第３ケース溝部３９の内面間寸法より大きくできる。
よって、第３係合部５８が第３ケース溝部３９に差し込まれることにより、第３ケース溝部３９に第３係合部５８が仮固定される。
【００６４】
このように、第１ケース溝部３７に第１係合部５４が仮固定され、第２ケース溝部３８に第２係合部５７が仮固定され、第３ケース溝部３９に第３係合部５８が仮固定されることにより、第２ボタン１６および第３ボタン１７が保持される。
【００６５】
具体的には、第２ボタン１６が第２ボタン取付部２１Ｂを介して第２貫通孔４７（図６参照）に収容された状態に保持される。
また、第３ボタン１７が第３ボタン取付部２１Ｃを介して第３貫通孔４８（図６参照）に収容された状態に保持される。
【００６６】
さらに、第１ケース溝部３７に第１係合部５４を仮固定し、第２ケース溝部３８に第２係合部５７を仮固定し、第３ケース溝部３９に第３係合部５８を仮固定することにより、第１ボタン１５、第２ボタン１６および第３ボタン１７の組付作業を容易にできる。
【００６７】
以上説明したように、携帯端末１０によれば、筐体１１をケース１２およびカバー１３で形成し、ケース１２の壁部１２Ａに第１貫通孔３４を設け、ケース１２およびカバー１３の境界線１４に跨るように第２貫通孔４７および第３貫通孔４８を設けた。
さらに、第１ボタン１５、第２ボタン１６および第３ボタン１７を屈曲可能な帯部材２１で連結した。
【００６８】
よって、ケース１２からカバー１３を外した状態で、第１貫通孔３４に第１ボタン１５を収容し、第１ボタン１５の収容後に帯部材２１を切欠部５４で屈曲させて第１ケース凹部３５に第２ボタン１６を収容し、第２ケース凹部３６に第３ボタン１７を収容できる。
【００６９】
具体的には、先ず、図９に示すように、筐体１１の側面１１Ａに対して筐体１１の厚み方向に対して直交する方向（矢印Ｃ方向）に沿って、第１ボタン１５を筐体１１の内部から外部に向けて移動する。
【００７０】
図１１に示すように、第１貫通孔３４に第１ボタン１５が収容されるとともに、一対の固定ピン４２に一対の係合孔５１が係合される。
この状態において、帯部材２１は、屈曲部５３が帯部材２１の厚み方向に沿った屈曲線５６を中心として略Ｌ字状に屈曲されている。
帯部材２１が略Ｌ字状に屈曲された状態から、屈曲部５３を屈曲させることにより第２ボタン取付部２１Ｂおよび第３ボタン取付部２１Ｃを矢印Ｇ方向に移動する。
【００７１】
図１０に示すように、第２ボタン取付部２１Ｂおよび第３ボタン取付部２１Ｃを矢印Ｇ方向に移動することにより、第２ボタン１６および第３ボタン１７を所定位置に配置する。
すなわち、筐体１１の側面１１Ａに対して筐体１１の厚み方向（矢印Ｂ方向）に沿って、第１ケース凹部３５（図１１参照）に第２ボタン１６を収容し、第２ケース凹部３６（図１１参照）に第３ボタン１７を収容する。
【００７２】
第１ケース凹部３５に第２ボタン１６を収容し、第２ケース凹部３６に第３ボタン１７を収容した後、ケース１２にカバー１３（図６参照）を取り付ける。
図６に示すように、第２ボタン１６が第２貫通孔４７に収容され、第３ボタン１７が第３貫通孔４８に収容される。
【００７３】
このように、帯部材２１の屈曲部５３を帯部材２１の厚み方向に沿った屈曲線５６を中心として屈曲可能とすることにより、第１ボタン１５、第２ボタン１６および第３ボタン１７を同じ工程で組み付けることができる。
これにより、第１ボタン１５と、第２ボタン１６および第３ボタン１７とを別工程で組み付ける場合と比較して組付工程の簡素が図れる。
【００７４】
また、第１ボタン１５、第２ボタン１６および第３ボタン１７を帯部材２１で連結した。このように、各ボタン１５，１６，１７を帯部材２１で連結することにより、第１ボタン１５、第２ボタン１６および第３ボタン１７の誤組付を防止できる。
【００７５】
さらに、第１ボタン１５、第２ボタン１６および第３ボタン１７を帯部材２１で連結することにより、従来技術のように、各ボタン１５，１６，１７に専用の帯部材をそれぞれ個別に設ける必要がない。
すなわち、複数のボタン１５，１６，１７に一つの帯部材２１を用意するだけでよいので部品点数を少なく抑えることができる。
【００７６】
加えて、第１ボタン１５、第２ボタン１６および第３ボタン１７を帯部材２１で連結することにより、各ボタン１５，１６，１７に専用の帯部材を個別に設ける場合と比べて、各ボタン１５，１６，１７間の間隔を半分（すなわち、１／２）に詰めることができる。
このように、第１ボタン１５および第２ボタン１６間の間隔や、第２ボタン１６および第３ボタン１７間の間隔を詰めることにより筐体１１を小型化できる。
【００７７】
次に、携帯端末１０の変形例について説明する。
なお、変形例の携帯端末７０において実施形態の携帯端末１０と同一類似部材について同じ符号を付して説明を省略する。
【００７８】
（変形例）
図１２に示すように、変形例の携帯端末７０は、第１貫通孔３４、第２貫通孔４７および第３貫通孔４８の配置を実施形態の携帯端末１０に対して変えたもので、その他の構成は実施形態の携帯端末１０と同様である。
【００７９】
具体的には、第１貫通孔３４はカバー１３の壁部１３Ａに設けられている。
また、第２貫通孔４７および第３貫通孔４８は、ケース１２の壁部１２Ａおよびカバー１３の壁部１３Ａの境界線１４が略中央に位置するように設けられている。
【００８０】
このように、第１貫通孔３４、第２貫通孔４７および第３貫通孔４８の配置を変えることにより、筐体１１の形状に対応させて第１貫通孔３４，第２貫通孔４７，第３貫通孔４８の位置を選択できるので用途の拡大が図れる。
【００８１】
なお、本発明に係る携帯端末は、前述した実施形態に限定されるものではなく適宜変更、改良等が可能である。
例えば、実施形態では、第１貫通孔３４に隣接して第２貫通孔４７および第３貫通孔４８の二個の貫通孔を備えた例について説明したが、これに限らないで、一個の貫通孔または三個以上の複数の貫通孔を備えることも可能である。また、第１貫通孔３４は、長孔状に形成された例について説明したが、真円形等、他の形状に形成してもよい。
【００８２】
また、実施形態では、筐体１１の側面１１Ａに第１ボタン１５、第２ボタン１６および第３ボタン１７を備えた例について説明したが、筐体１１の他の部位に各ボタンを備えることも可能である。
【００８３】
さらに、実施形態で使用した携帯端末、筐体、ケース、カバー、第１ボタン、第２ボタン、第３ボタンおよび帯部材等の形状や構成は例示したものに限定するものではなく適宜変更が可能である。
【産業上の利用可能性】
【００８４】
本発明は、筐体の側面に複数の貫通孔が形成され、各々の貫通孔に操作ボタンが収容された携帯端末への適用に好適である。
【符号の説明】
【００８５】
１０，７０  携帯端末
１１  筐体
１１Ａ  筐体の側面
１２  ケース
１２Ａ  ケースの壁部
１３  カバー
１３Ａ  カバーの壁部
１４  境界線
１５  第１ボタン
１６  第２ボタン
１７  第３ボタン
２１  帯部材
３４  第１貫通孔
３７  第１ケース溝部（溝部）
３８  第２ケース溝部（溝部）
３９  第３ケース溝部（溝部）
４７  第２貫通孔
４８  第３貫通孔
５３  屈曲部（突出部）
５４  第１係合部（切欠部）
５４Ａ  第１リブ（突起部）
５６  屈曲線（帯部材の厚み方向に沿った線）
５７  第２係合部（切欠部）
５７Ａ  第２リブ（突起部）
５８  第３係合部（切欠部）
５８Ａ  第３リブ（突起部）
【図１】
2013098650.tif 000003
【図２】
2013098650.tif 000004
【図３】
2013098650.tif 000005
【図４】
2013098650.tif 000006
【図５】
2013098650.tif 000007
【図６】
2013098650.tif 000008
【図７】
2013098650.tif 000009
【図８】
2013098650.tif 000010
【図９】
2013098650.tif 000011
【図１０】
2013098650.tif 000012
【図１１】
2013098650.tif 000013
【図１２】
2013098650.tif 000014
【図１３】
2013098650.tif 000015